(57)【要約】【課題】容易に組立をすることが可能な軸の支持構造を提供すること。【解決手段】少なくとも一方の端に、周方向の位置によって径が変化する端部８２を有する軸８を支持するために、軸８の端が挿入される軸受け穴１２ａ、１３ａを夫々有する２つの軸受け部１２、１３を備えた支持構造であって、少なくとも一方の軸受け部１３は、端部８２を軸受け穴１３ａに挿入するための、挿入方向に沿って形成された欠落部分１３ｃを有し、欠落部分１３ｃの幅１３Ｌは、端部８２の最大径Ｒ１よりも小さく、端部８２の最小径Ｒ２よりも大きい、支持構造である。【選択図】図９
2009128827.tif 000002
【特許請求の範囲】
【請求項１】
少なくとも一方の端に、周方向の位置によって径が異なる端部を有する軸の端が挿入されて、前記挿入された軸を夫々支持する２つの軸受け部を備えた支持構造であって、
各々の前記軸受け部は、円形状の軸受け穴を有しており、
少なくとも一方の前記軸受け穴の軸受け面の一部が、前記端部を挿入するために欠落しており、
前記欠落した部分の幅は、前記端部の最大径よりも小さく、前記端部の最小径よりも大きい、支持構造。
【請求項２】
前記軸の長手方向への移動を規制するための、前記軸の一方の端面を押圧するアース部材を備えた、請求項１記載の支持構造。
【請求項３】
前記アース部材は、前記軸の一方の端面に形成された溝部と嵌合する当接部を有している、請求項２記載の支持構造。
【請求項４】
前記一方の軸受け部は、
前記欠落した部分を介して前記軸受け穴と連通した穴部を有し、
前記穴部は、前記軸受け穴よりも大きい、請求項１記載の支持構造。
【請求項５】
前記一方の軸受け部は、
前記軸受け穴の前記欠落した部分の両側から、前記欠落した部分と同じ幅を保ちながら、前記軸の長手方向と直交する方向に形成されているガイド部とを備えた、請求項１記載の支持構造。
【請求項６】
少なくとも一方の端に、周方向の位置によって径が異なる端部を有する軸の端が挿入されて、前記挿入された軸を夫々支持する２つの軸受け部を備えた支持構造であって、
各々の前記軸受け部は、円形状の軸受け穴を有しており、
少なくとも一方の前記軸受け穴の軸受け面の一部が、前記端部を挿入するために欠落しており、
前記一方の軸受け部は、前記欠落した部分を介して前記軸受け穴と連通した、前記軸受け穴よりも大きい穴部を有し、
前記欠落した部分の幅は、前記軸の径よりも小さく、且つ所定以上の力で前記穴部から前記軸受け穴へと前記軸が移動可能な大きさである、支持構造。
【請求項７】
原稿を載置するために、枠体に固定された原稿載置ガラスと、
前記原稿載置ガラスの下方に、前記原稿載置ガラスの一辺に沿って設けられている軸と、
前記軸を支持するための請求項１〜６のいずれかに記載の支持構造と、
前記載置された原稿の画像データを読み取るために、前記原稿載置ガラスを通して前記原稿に光を照射しながら、前記軸に沿って移動する移動部とを備えた、画像読み取り装置。
【請求項８】
前記枠体は、前記軸、前記支持構造、及び前記移動部を囲うように設けられており、
前記枠体は、
前記支持構造が設けられた下枠体と、
前記原稿載置ガラスが設けられ、前記軸に上方から当接する当接部を持った上枠体とを有している、請求項７記載の画像読み取り装置。
【請求項９】
原稿の画像データを読み取るための請求項７又は８記載の画像読み取り装置と、
前記読み取られた画像データに基づいて、像担持体上に現像剤画像を形成する画像形成部と、
前記現像剤画像を記録媒体に転写する転写部と、
前記転写された現像剤画像を前記記録媒体に定着する定着部とを備えた、画像形成装置。
【発明の詳細な説明】
【技術分野】
【０００１】
本発明は、支持構造、画像読み取り装置、及び画像形成装置に関する。
【背景技術】
【０００２】
複写機には、原稿の画像データを読み取るための画像読み取り装置が設けられており、画像読み取り装置の上面に設けられたコンタクトガラスに原稿を載置して、画像データが読み込まれる。
【０００３】
コンタクトガラスの下方には、原稿の一端から他端に向けて移動する移動体が設けられており、この移動体には光源が設けられている。この光源からの光が、コンタクトガラスを通して原稿に照射され、その反射光をＣＣＤ等によって読み取ることによって、原稿の画像データが読み取られる。このような原稿の読み取り動作では、原稿と移動体の位置関係の精度が重要であり、上記移動体は軸に沿って移動するため、軸には高い位置精度が要求されることになる。
【０００４】
この軸の位置精度を確保するための軸の支持構造として、例えば、図１９に示す構成が開示されている。（例えば、特許文献１参照。）。
【０００５】
図１９に示すように、特許文献１に示す支持構造では、軸２１５の一方の端に溝部２１５ａが形成されており、軸受け２１８の上方に突起２１８ａが設けられている。又、溝部２１５ａに嵌合するＵリング状部２１１ａと、突起２１８ａに対応する貫通孔２１１ｂが形成された止め部材２１１が設けられている。
【０００６】
図２０に示すように、軸２１５を軸受け２１８に挿入した後に、Ｕリング状部２１１ａが溝部２１５ａに、貫通孔２１１ｂが突起２１８ａに嵌合するように、止め部材２１１を軸２１５及び軸受け２１８に嵌め込むことによって、軸２１５が精度良く枠体２１９に取り付けられる。
【特許文献１】特開２００４―２７２１１９号公報
【発明の開示】
【発明が解決しようとする課題】
【０００７】
しかしながら、特許文献１に示す支持構造では、軸と軸受け２１８以外に、固定用の別部材として止め部材２１１を用意する必要があり、さらにＵリング状部２１１ａを溝部２１５ａに嵌合し、貫通孔２１１ｂを突起２１８ａに嵌合するように、止め部材２１１を取り付ける必要があるため、組立に時間を要するものであった。
【０００８】
本発明は、従来の支持構造の課題を考慮し、容易に組立をすることが可能な軸の支持構造、画像読み取り装置、及び画像形成装置を提供することを目的とする。
【課題を解決するための手段】
【０００９】
上記目的を達成するために、第１の本発明は、
少なくとも一方の端に、周方向の位置によって径が異なる端部を有する軸の端が挿入されて、前記挿入された軸を夫々支持する２つの軸受け部を備えた支持構造であって、
各々の前記軸受け部は、円形状の軸受け穴を有しており、
少なくとも一方の前記軸受け穴の軸受け面の一部が、前記端部を挿入するために欠落しており、
前記欠落した部分の幅は、前記端部の最大径よりも小さく、前記端部の最小径よりも大きい、支持構造である。
【００１０】
又、第２の本発明は、
前記軸の長手方向への移動を規制するための、前記軸の一方の端面を押圧するアース部材を備えた、第１の本発明の支持構造である。
【００１１】
又、第３の本発明は、
前記アース部材は、前記軸の一方の端面に形成された溝部と嵌合する当接部を有している、第２の本発明の支持構造である。
【００１２】
又、第４の本発明は、
前記一方の軸受け部は、
前記欠落した部分を介して前記軸受け穴と連通した穴部を有し、
前記穴部は、前記軸受け穴よりも大きい、第１の本発明の支持構造である。
【００１３】
又、第５の本発明は、
前記一方の軸受け部は、
前記軸受け穴の前記欠落した部分の両側から、前記欠落した部分と同じ幅を保ちながら、前記軸の長手方向と直交する方向に形成されているガイド部とを備えた、第１の本発明の支持構造である。
【００１４】
又、第６の本発明は、
少なくとも一方の端に、周方向の位置によって径が異なる端部を有する軸の端が挿入されて、前記挿入された軸を夫々支持する２つの軸受け部を備えた支持構造であって、
各々の前記軸受け部は、円形状の軸受け穴を有しており、
少なくとも一方の前記軸受け穴の軸受け面の一部が、前記端部を挿入するために欠落しており、
前記一方の軸受け部は、前記欠落した部分を介して前記軸受け穴と連通した、前記軸受け穴よりも大きい穴部を有し、
前記欠落した部分の幅は、前記軸の径よりも小さく、且つ所定以上の力で前記穴部から前記軸受け穴へと前記軸が移動可能な大きさである、支持構造である。
【００１５】
又、第７の本発明は、
原稿を載置するために、枠体に固定された原稿載置ガラスと、
前記原稿載置ガラスの下方に、前記原稿載置ガラスの一辺に沿って設けられている軸と、
前記軸を支持するための第１〜６のいずれかの本発明の支持構造と、
前記載置された原稿の画像データを読み取るために、前記原稿載置ガラスを通して前記原稿に光を照射しながら、前記軸に沿って移動する移動部とを備えた、画像読み取り装置である。
【００１６】
又、第８の本発明は、
前記枠体は、前記軸、前記支持構造、及び前記移動部を囲うように設けられており、
前記枠体は、
前記支持構造が設けられた下枠体と、
前記原稿載置ガラスが設けられ、前記軸に上方から当接する当接部を持った上枠体とを有している、第７の本発明の画像読み取り装置である。
【００１７】
又、第９の本発明は、
原稿の画像データを読み取るための第７又は８の本発明の画像読み取り装置と、
前記読み取られた画像データに基づいて、像担持体上に現像剤画像を形成する画像形成部と、
前記現像剤画像を記録媒体に転写する転写部と、
前記転写された現像剤画像を前記記録媒体に定着する定着部とを備えた、画像形成装置である。
【発明の効果】
【００１８】
本発明によれば、容易に組立をすることが可能な軸の支持構造、画像読み取り装置、及び画像形成装置を提供することが出来る。
【発明を実施するための最良の形態】
【００１９】
以下、本発明にかかる画像形成装置の一例としての複写機について図面を参照しながら説明するとともに、本発明の画像読み取り装置、及び支持構造の一例についても述べる。
（実施の形態１）
はじめに、本発明にかかる実施の形態１の複写機の構成について説明する。
【００２０】
図１に示すように、本実施の形態の複写機１００は、その上部に、原稿の画像データを読み取る原稿読み取り装置１を備えている。又、複写機１００は、その底部に、読み取った画像データに基づいて画像が形成される用紙を収納するための４つの給紙カセット１１０を備えている。また、給紙カセット１１０の上部には、手差しトレイ１２０が設けられている。
【００２１】
これら給紙カセット１１０又は手差しトレイ１２０から供給された用紙にトナー画像を形成するための、感光体ドラム１３１、帯電器１３２、露光器１３３、現像器１３４及びクリーニングユニット１３５等から構成される画像形成ユニット１３０が設けられている。又、感光体ドラム１３１上のトナー画像を用紙に転写するための転写ユニット１６０を備えている。
【００２２】
更に、トナー画像を用紙に定着するための定着ユニット１４０と、トナー画像が定着された用紙を排出するための排出ユニット１５０が設けられている。尚、図１に示されている点線の矢印は露光器１３３からの光路を示しており、矢印が接している部分で感光体ドラム１３１に静電潜像が形成される。又、実線矢印は紙の搬送路を示している。
【００２３】
次に、本実施の形態の画像読み取り装置の構成について説明する。
【００２４】
図２は、上述した画像読み取り装置１の外観図である。図１及び図２に示すように、画像読み取り装置１は、上枠体２ａと下枠体２ｂから構成される枠体２と、上枠体２ａに設けられた原稿載置ガラス３とを備えている。
【００２５】
図３は、原稿読み取り装置１の上枠体２ａを取り除いた状態を模式的に示した斜視図である。図３に示すように、原稿載置ガラス３の下方に、キャリッジ４が設けられており、このキャリッジ４は下枠体２ｂの一端から他端に移動する（矢印Ａ、Ｂ方向）。
【００２６】
又、このキャリッジ４には、図１に示すように、原稿載置ガラス３上に配置された原稿に光を照射するための光源５と、原稿から反射された光が入射されるＣＣＤ６と、ＣＣＤ６へと反射光を導くためのミラー７ａ、７ｂ、７ｃが設けられている。
【００２７】
又、図１及び図３に示すように、キャリッジ４を移動させるための軸８とレール９が、キャリッジ４の移動方向に沿って設けられている。軸８は、キャリッジ４に設けられている軸受け（図示せず）を貫通して配置されているが、レール９は、キャリッジ４の下方に配置されているだけであり、キャリッジ４内を通っていない。そのため、キャリッジ４の移動する際の位置精度は、軸８の取り付け位置の精度に大きく依存する。又、キャリッジ４を軸８及びレール９に沿って移動させるためのモータ１０及びゴムベルト１１が設けられている。このモータ１０の回転によりゴムベルト１１が回転し、ゴムベルト１１に固定されているキャリッジ４が移動する。
【００２８】
上述した軸８は両端が軸受け部１２、１３によって支持されることにより下枠体２ｂに取り付けられている。
【００２９】
次に、軸８の支持構造について説明する。
【００３０】
図４は図３のＰ部拡大図である。図４に示すように、軸受け部１２に設けられている軸受け穴１２ａに、軸８の端が挿入されて支持されている。
【００３１】
図５（ａ）は、図３のＱ部拡大図である。又、図５（ｂ）は、（ａ）から軸８を取り除いた図である。図５（ａ）、（ｂ）に示すように、軸受け部１３には、軸８を支持するために軸８の端が挿入されている空間である軸受け穴１３ａが設けられている。又、軸受け穴１３ａの軸受け面１３ｄ（図５（ｂ）参照）の上方部分が欠落しており、欠落部分１３ｃとして図示されている。欠落部分１３ｃの上方には、軸受け穴１３ａよりも大きい形状の軸取付用穴１３ｂが形成されている。軸受け穴１３ａと軸取付用穴１３ｂの間は、欠落部分１３ｃによって連結されている。この欠落部分１３ｃの幅を１３Ｌとする。
【００３２】
図６は、図３のＱ部拡大図であるが、図５とは異なる角度から見た図である。図６に示すように、軸８は、端面８１側からバネ部材１４によって長手方向（図中矢印Ｃ参照）に押圧されている。このバネ部材１４の押圧により、キャリッジ４が移動した際に、軸８の長手方向への位置ズレを抑えることが出来る。又、軸８は金属製であり、バネ部材１４によって接地されている。
【００３３】
図７は、バネ部材１４の斜視図である。図７に示すように、バネ部材１４は、板バネであり、軸８の端面８１を押圧する押圧部１５と、バネ部材１４を下枠体２ｂに取り付けるための貫通孔１６ａが形成されている取付部１６とを有している。又、押圧部１５は、軸８側に突出するように折れ曲がっており、この折れ曲がった当接部１５ａが端面８１に当接する。尚、図５に示すビス１７によってバネ部材１４は貫通孔１６ａを通して、下枠体２ｂに取り付けられている。
【００３４】
図８は、軸８の斜視図である。図８に示すように、軸受け部１３に挿入される側の軸８の端部８２は、周囲の一部が切りかかれてた２箇所の切り欠き部８３ａ、８３ｂを有している。この切り欠き部８３ａによって端部８２には、平面部分８２ａが形成されている。また、切り欠き部８３ｂによっても平面部分８２ｂが形成されている。この切り欠き部８３ａと切り欠き部８３ｂは対向して形成されているため平面部分８２ａと平面部分８２ｂも平行に形成されている。この端部８２の最大径は、軸８の径と同じであり、図中Ｒ１で示されている。また、端部８３の最小径は、平面部分８２ａと平面部分８２ｂの間の軸の径であり図中Ｒ２で示されている。このＲ２が、上述した欠落部分１３ｃの幅１３Ｌよりも小さく、Ｒ１が１３Ｌよりも大きくなるように端部８２は形成されている。又、端面８１には、平面部分８２ａ、８２ｂと並行に断面がＶ字形状の溝８４が形成されている。尚、軸受け部１２の軸受け穴１２ａに差し込まれる側の軸８の端部８５には、切り欠き部は形成されていない。
【００３５】
又、本発明のアース部材の一例は、本実施の形態のバネ部材１４に相当する。又、本発明の周方向の位置によって径が異なる端部の一例は、本実施の形態の端部８２に相当し、本発明の欠落した部分の一例は、本実施の形態の欠落部分１３ｃに相当する。又、本発明の移動部の一例は、本実施の形態のキャリッジ４に相当する。又、本発明の画像形成部の一例は、本実施の形態の画像形成ユニット１３０に相当し、本発明の転写部の一例は、本実施の形態の転写ユニット１６０に相当する。又、本発明の定着部の一例は、本実施の形態の定着ユニット１４０に相当する。又、本発明の穴部の一例は、本実施の形態の軸取付用穴１３ｂに相当する。
【００３６】
次に、下枠体２ｂへの軸８の取付について説明する。
【００３７】
はじめに、軸８の端面８１側（図８参照）が、図５に示す軸取付用穴１３ｂに挿入される。そして、図４に示すように軸８の端面８１の反対端が軸受け部１２の軸受け穴１２ａに挿入される。
【００３８】
図９は、図５（ａ）に示すＺ方向から軸受け部１３を見た模式図である。図９に示すように、平面部分８２ａ、８２ｂが垂直になるような状態で端部８２が欠落部分１３ｃに挿入される。そして、端部８２が軸受け穴１３ａまで移動した後、図１０に示すように、軸８は約９０度回転される。
【００３９】
ところで、端面８１側にはバネ部材１４が配置されており、端部８２が軸受け穴１３ａまで移動した時点で、端面８１はバネ部材１４によって押圧されている。そして、軸８を９０度回転することによって、溝８４が垂直方向から水平方向に向き、図１１に示すように溝８４にバネ部材１４の当接部１５ａが嵌り込む。尚、図１１には、説明のため軸受け部１３が記載されていない。このような構成とすることにより、キャリッジ４が移動した際に、軸８が回転することを防止することが可能となる。
【００４０】
又、キャリッジ４が移動した際の長手方向の移動は、バネ部材１４の押圧力によって抑えられる。さらに、欠落部分１３ｃの幅１３Ｌが径Ｒ１よりも短いため、軸８の上下方向の移動も規制される。
【００４１】
以上のように、本実施の形態では、軸８を軸受け部１２、１３に挿入し、端部８２を下方に移動させた後に軸８を回転させるという簡単な組立で、軸８を下枠体２ｂに精度良く固定することが出来る。
【００４２】
尚、本実施の形態では、軸受け部１３に本発明の穴部の一例である軸取付用穴１３ｂが設けられているが、図１２（ａ）に示すような軸取付用穴１３ｂを設けない構成の軸受け部２０であってもよい。図１２（ａ）に示す軸受け部２０は、軸８が取り付けられる軸受け穴２０ａを有しており、軸受け穴２０ａには、軸受け面２０ｄの上方が欠落した欠落部分２０ｃが形成されている。又、軸受け部２０は、欠落部分２０ｃの両端から、欠落部分２０ｃの幅２０Ｌを保ったまま上方に向けて形成されたガイド部２０ｅを有している。このガイド部２０ｅは、軸受け部１３の外壁まで形成されている。また、欠落部分２０ｃの幅２０Ｌは、上述したＲ２よりも大きく、Ｒ１よりも小さい。
【００４３】
軸受け部２０の上側の外壁に形成されているガイド部２０ｅの入口２０ｆから、端部８２を挿入してガイド部２０ｅを通し、図９と同様に欠落部分２０ｃを通すことによって、軸８の端部８２が軸受け穴２０ａに挿入される。
【００４４】
又、上記図１２（ａ）に示すガイド部２０ｅは上方に向けて形成されているが、図１２（ａ）において左方向、右方向に向けて形成されていてもよく、要するに、軸８の長手方向と直交する方向に形成されていればよい。
【００４５】
又、ガイド部２０ｅは、均一の幅で形成されているが、欠落部分２０ｃの幅がＲ１よりも短く、Ｒ２よりも長ければよく、例えば、ガイド部２０ｅが上方に向けて幅が広くなるように形成されていても良い。
【００４６】
又、図１２（ｂ）に示すように、ガイド部２０ｅが形成されていない形状の軸受け部２０´であってもよい。図１２（ｂ）に示す軸受け部２０´では、ガイド部２０ｅがなく、軸受け穴２０ａに形成されている欠落部分２０ｃが、入口２０ｆ´となっている。
【００４７】
又、本実施の形態では、軸８の端部８２には、対向する２つの切り欠き部８３ａと切り欠き部８３ｂが形成されていたが、図１３に示すように軸３０のように、一つの切り欠き部のみが形成されていてもよい。図１３に示す軸３０の端部３２は、いわゆるＤカット形状であり、１つの切り欠き部３３のみが形成されている。尚、図１３では、軸受け部として図１２に示したような軸取付用穴１３ｂが形成されていない軸受け部３４が示されている。この場合、端部３２の最小径は、切り欠き部３３によって形成される平面部３２ａと垂直な中心３０ａを通る径Ｒ３となる。従って、軸受け部３４の欠落部分３４ｃの幅３４Ｌは、軸３０の端面３１に示されているＲ３よりも大きく、Ｒ２よりも小さく形成されている。尚、ガイド部３４ｅも幅３４Ｌと同様の大きさの幅を有している。又、図１３に示す軸３０を用いた場合でも軸受け穴３４ａに端部３２を挿入した後、軸３０を回転することによって軸３０の上下への位置ズレを規制することが出来る。又、図１２、１３では溝は図示されていないが、図１１に示すように、溝を設けてもよい。
【００４８】
又、本実施の形態では、端部８２の最大径は、軸８の径と一致しているが、端部８２の最大径が軸８の径よりも小さくても良い。図１４に示す軸４０の端部４２は、中央部の径よりも小さく切削された円柱に、更に２つの切り欠き部４３ａ、４３ｂが形成された形状である。この場合、平面部分４２ａと平面部分４２ｂの間の距離が、端部４２の最小径Ｒ４となり、切り欠き部４３ａ、４３ｂが形成されていない部分の径が最大径Ｒ５となる。従って、例えば、図１２（ａ）に示す軸受け部２０では、幅２０Ｌが、最小径Ｒ４よりも大きく、最大径Ｒ５よりも小さくなるように形成されていればよい。
【００４９】
又、図１２に示す構成の軸受け部２０の軸受け穴２０ａの周囲に凸状部を形成した構成であってもよい。そのような構成の軸受け部２０´´の構成の正面図を図１５（ａ）に示す。又、図１５（ｂ）は、図１５（ａ）のＹＹ´間断面図である。図に示すように、軸受け穴２０ａ´´の左右の周囲に凸状部２７ａ、２７ｂが形成されている。この凸状部２７ａは、軸受け穴２０ａ´´の周囲に沿って上下に弓状に形成されており、軸受け穴２０ａ´´の径は、中心２０Ｘ´´を通る水平線上の径Ｒ６が最も小さくなる。また、凸状部２７ａ、２７ｂが形成されていない部分の軸受け穴２０ａ´´の径をＲ７とすると、Ｒ７は、軸８の径Ｒ１とほぼ同じであるが、Ｒ６はＲ１よりも若干小さい。このような構成において、軸８を軸受け穴２０ａ´´に挿入し回転すると、Ｒ６がＲ１よりも小さいため抵抗が生じる。
【００５０】
ここで、軸受け部２０´´は樹脂で形成されているので、さらに力を加えることによって樹脂の弾力により、さらに軸８を回転することが出来る。そして、図１０で説明したように、軸８を９０度回転すると、軸８は軸受け部２０によって締め付けられることになり、キャリッジ４の移動の際の、上下方向及び長手方向への軸８のズレが規制される。この場合、バネ部材１４によって軸８の長手方向のズレを規制しなくても良いため、バネ部材１４が設けられていなくても良い。但し、軸８を接地する必要があるため、別途アース部材は設ける必要がある。尚、Ｒ７はＲ１とほぼ同じと述べたが、実際は、軸８が挿入可能であるためＲ７が若干Ｒ１よりは大きく形成されている。
【００５１】
尚、凸状部２７ａ、２７ｂに対応する溝を軸８の端部８２の周囲に形成してもよい。但し、凸状部２７ａ、２７ｂの高さを溝の深さよりも高くした方が樹脂の弾力を利用して位置ズレを規制することが出来る。
【００５２】
（実施の形態２）
次に、本発明にかかる実施の形態２における画像読み取り装置について説明する。
【００５３】
本実施の形態２の画像読み取り装置は、実施の形態１と基本的な構成は同じであるが、軸及び軸受け部の構成が異なっている。そのため、本相違点を中心に説明する。尚、実施の形態１と同一の構成については、同一の番号を付している。
【００５４】
本実施の画像読みとり装置は、軸を支持する両端の軸受け部のうち一方の軸受け部は、図４に示す軸受け部１２と同じである。そのため説明を省略する。
【００５５】
図１６（ａ）は、本実施の形態２における、図３のＱ部分に相当する部分の構成図である。図１６（ａ）には、本実施の形態２の軸５０の端が軸受け部６０によって支持されている状態が示されている。又、実施の形態１で説明したバネ部材１４も示されている。図１６（ｂ）は、軸受け部６０から軸５０及びバネ部材１４を取り外した状態の図である。本実施の形態２における軸５０は、実施の形態１と異なり、端に切り欠き部が形成されておらず、長手方向の径は実質上同一である。
【００５６】
本実施の形態２の軸受け部６０は、実施の形態１で説明した軸受け部１３とは欠落部分の構成が異なる。軸受け部６０には、軸５０が挿入されている軸受け穴６０ａと、軸受け穴６０ａの軸受け面６０ｄの上方部分が欠けた欠落部分６０ｃと、軸５０を取り付ける際に、一旦、軸５０の端を挿入する軸取付用穴６０ｂを有している。この軸取付用穴６０ｂは、欠落部分６０ｃを介して軸受け穴６０ａと連結されている。尚、軸取付用穴６０ｂの大きさは、軸受け穴６０ａの断面形状よりも大きく形成されている。この軸取付用穴６０ｂが、本発明の穴部の一例に相当する。
【００５７】
図１７は、図１６（ａ）に示す矢印Ｚ方向から見た軸受け部６０及び軸５０の模式図である。軸５０を軸受け部６０に取り付ける際には、実施の形態１と同様に、軸５０を一旦、軸取付用穴６０ｂに挿入した後、欠落部分６０ｃを通って軸受け穴６０ａへと軸５０を移動させる（矢印Ｕ参照）。
【００５８】
ここで、図１７（ａ）に示すように、欠落部分６０ｃの幅６０Ｌは、軸５０の径Ｒ８よりも若干狭くなっている。ここで、軸受け部６０は樹脂によって形成されているため、軸５０を下方に所定以上の力をかけて押し込むことによって、樹脂の弾力によって図１７（ｂ）に示すように欠落部分６０ｃの幅が広がり、軸５０が軸受け穴６０ａ内に挿入される。そして、軸５０を軸受け部６０に取り付けることが出来る（図１６（ａ）参照）。尚、軸５０が通り過ぎた後は、樹脂の弾力によって欠落部分６０ｃの幅６０Ｌは、もとの長さに戻る。又、本実施の形態２の端面５１にも実施の形態１と同様に溝５２が設けられており、軸受け穴６０ａ内に挿入された後、軸５０を回転させることによって、図１８の断面模式図に示すように、溝５２はバネ部材１４の当接部１５ａと嵌合する。この嵌合によって、キャリッジ４動作時の軸５０の回転が規制される。
【００５９】
また、本実施の形態２では、軸５０を移動可能とするため、欠落部分６０ｃの幅６０Ｌが、Ｒ８よりも若干小さく形成されているだけであるため、上下方向へに規制が弱く実施の形態１よりも軸５０が上下にずれる可能性が高い。そのため、図１８に示すように、上枠体２ａに当接部７０を形成し、軸５０を上方から抑えるような構成とすることによって、軸５０の上下方向の位置ズレを抑えることが出来る。
【００６０】
以上のように、本実施の形態２においても、軸５０を軸受け部１２、６０に挿入し、軸取付用穴６０ｂから軸受け穴６０ａへと軸５０を移動させるだけの簡単な組立で、下枠体２ｂに軸５０を取り付けることが出来る。
【００６１】
尚、欠落部分６０ｃによって軸５０の上下方向の位置ズレを十分に規制出来る場合には、当接部が設けられていなくても良い。
【００６２】
又、軸５０に当接部７０と嵌合する部分を形成することによって、キャリッジ４が移動する際の軸５０の回転を規制することが出来る。この場合、溝５２やバネ部材１４を設ける必要はない。尚、実施の形態１の上枠体２ａに軸８と嵌合可能な当接部を設けて溝８４やバネ部材１４を設けない構成としてもよい。但し、軸５０、８を接地する必要があるためアース部材は設ける必要がある。
【００６３】
又、実施の形態１、２において、バネ部材１４の押圧力によって軸が回転することを規制できるのであれば、溝を設けなくてもよい。但し、溝を設け、その溝にバネ部材を当接させることによって、軸とバネ部材の接触面積が広がるため確実に接地することが出来る。
【００６４】
又、上記実施の形態では、本発明の画像形成装置の一例としての複写機、及び画像読み取り装置に用いた支持構造について説明してるが、このような装置に限らず、軸を支持するための支持構造を有する装置であれば、いかなる装置に対しても本発明の支持構造を適用することが出来る。
【産業上の利用可能性】
【００６５】
本発明の支持構造は、容易に組立をすることが可能な効果を有し、画像読み取り装置や画像形成装置等に用いる支持構造として有用である。
【図面の簡単な説明】
【００６６】
【図１】本発明にかかる実施の形態１における複写機１００の正面構成図
【図２】本発明にかかる実施の形態１における画像読み取り装置１の外観図
【図３】本発明にかかる実施の形態１における画像読み取り装置１から上枠体２ａを取り外した模式図
【図４】図３のＰ部拡大図
【図５】（ａ）図３のＱ部拡大図、（ｂ）（ａ）から軸８を取り外した状態を示す図
【図６】図５と異なる位置から見た図３のＱ部拡大図
【図７】本発明にかかる実施の形態１におけるバネ部材１４の外観図
【図８】本発明にかかる実施の形態１における軸８の部分拡大図
【図９】本発明にかかる実施の形態１における軸８の軸受け部１３への取り付けを説明するための側面模式図
【図１０】本発明にかかる実施の形態１における軸８の軸受け部１３への取り付けを説明するための側面模式図
【図１１】本発明にかかる実施の形態１における軸８とバネ部材１４の位置関係を説明するための図
【図１２（ａ）】本発明にかかる実施の形態１における支持構造の軸受け部の変形例である軸受け部２０を示す図
【図１２（ｂ）】本発明にかかる実施の形態１における支持構造の軸受け部の変形例である軸受け部２０´を示す図
【図１３】本発明にかかる実施の形態１における支持構造の変形例を示す図
【図１４】本発明にかかる実施の形態１における軸の変形例である軸４０を示す図
【図１５】（ａ）（ｂ）本発明にかかる実施の形態１における支持構造の変形例を示す図
【図１６】（ａ）本発明にかかる実施の形態２における支持構造を説明するための構成を示す図、（ｂ）（ａ）から軸５０及びバネ部材１４を取り除いた状態を示す図
【図１７】（ａ）（ｂ）本発明にかかる実施の形態２における軸５０の軸受け部６０への取り付けを説明するための側面模式図
【図１８】本発明にかかる実施の形態２における軸５０の軸受け部６０への取り付けを説明するための正面模式図
【図１９】従来の支持構造を説明するための構成図
【図２０】従来の支持構造を示す図
【符号の説明】
【００６７】
１  画像読み取り装置
２  枠体
３  原稿載置ガラス
４  キャリッジ
５  光源
６  ＣＣＤ
７ａ、７ｂ、７ｃ  ミラー
８  軸
９  レール
１０  モータ
１１  ベルト
１２  軸受け部
１３  軸受け部
１３ａ  軸受け穴
１３ｂ  軸取付用穴
１３ｃ  欠落部分
１３Ｌ  幅
１４  バネ部材
８１  端面
８２  端部
８２ａ、８２ｂ  平面部分
８３ａ、８３ｂ  切り欠き部
８４  溝
【図１】
2009128827.tif 000003
【図２】
2009128827.tif 000004
【図３】
2009128827.tif 000005
【図４】
2009128827.tif 000006
【図５】
2009128827.tif 000007
【図６】
2009128827.tif 000008
【図７】
2009128827.tif 000009
【図８】
2009128827.tif 000010
【図９】
2009128827.tif 000011
【図１０】
2009128827.tif 000012
【図１１】
2009128827.tif 000013
【図１２（ａ）】
2009128827.tif 000014
【図１２（ｂ）】
2009128827.tif 000015
【図１３】
2009128827.tif 000016
【図１４】
2009128827.tif 000017
【図１５】
2009128827.tif 000018
【図１６】
2009128827.tif 000019
【図１７】
2009128827.tif 000020
【図１８】
2009128827.tif 000021
【図１９】
2009128827.tif 000022
【図２０】
2009128827.tif 000023